【手続補正書】
【提出日】平成17年11月15日(2005.11.15)
【手続補正１】
【補正対象書類名】明細書
【補正対象項目名】発明の名称
【補正方法】変更
【補正の内容】
【発明の名称】データ処理装置、方法及び記録媒体
【手続補正２】
【補正対象書類名】明細書
【補正対象項目名】特許請求の範囲
【補正方法】変更
【補正の内容】
【特許請求の範囲】
【請求項１】  少なくとも複数のデータファイルが記録される記録媒体に対して記録または再生が可能とされるデータ処理装置であって、
上記記録媒体にデータファイルを記録する際に予め定められたテイク生成条件を満たす１つ以上のデータファイルを自動的にグループ化するグループ設定手段と、
上記グループ設定手段により設定されたグループ毎に、上記記録媒体上にテイク格納ディレクトリを作成し、上記グループに応じた該テイク格納ディレクトリに対象となるデータファイルを格納するデータ格納手段と
を備えることを特徴とするデータ処理装置。
【請求項２】  さらに、上記グループ設定手段により生成されたグループの一覧を表示するか、又はデータファイル単位で表示するかを切り替えるデータ提示方法指定手段と、
データファイル毎に対応して形成された代表画像を１画面上の表示領域に対して複数配列した代表画像画面を形成して出力することのできる画像処理手段と
を備えることを特徴とする請求項１記載のデータ処理装置。
【請求項３】  さらに、上記グループ設定手段によるグループ化の結果に基づいて、複数のデータファイルによって構成されるデータファイル群に対応する代表画像については複数のデータファイルで構成されることを表す所定の表示形態により表示可能とする第１の代表画像表示制御手段と
を備えることを特徴とする請求項２記載のデータ処理装置。
【請求項４】  さらに、予め定められた時間より長い記録時間のデータファイルを予め定められた時間長より短い時間に自動分割するデータファイル自動分割手段と、
上記データファイル自動分割手段によって分割されたデータファイルを自動的にグループ化する再グループ化手段と
を備えることを特徴とする請求項２記載のデータ処理装置。
【請求項５】  さらに、予め定められた時間より長い記録時間のデータファイルを予め定められた時間長より短い時間に自動分割するデータファイル自動分割手段と、
上記データファイル自動分割手段によって分割されたデータファイルを自動的にグループ化する再グループ化手段と、
上記再グループ化手段によるグループ化の結果に基づいて、複数のデータファイルによって構成されるデータファイル群に対応する代表画像については複数のデータファイルで構成されることを表す所定の表示形態により表示可能とする第２の代表画像表示制御手段と
を備えることを特徴とする請求項３記載のデータ処理装置。
【請求項６】  上記テイク生成条件は、予め定められた判定条件が真になる場合であることを特徴とする請求項１記載のデータ処理装置。
【請求項７】  上記判定条件は、予め定められた時間間隔より短い間隔でデータの記録開始指定が行われた場合に真になることを特徴とする請求項６記載のデータ処理装置。
【請求項８】  上記判定条件は、直前のデータ記録終了時刻から現在のデータ記録開始時刻までの間隔が予め定められた時間より短い場合に真になることを特徴とする請求項６記載のデータ処理装置。
【請求項９】  上記判定条件は、データが同じ種類同士の時間間隔が、所定時間よりも短い場合に、真となることを特徴とする請求項６記載のデータ処理装置。
【請求項１０】  上記判定条件は、直前のデータ記録終了時刻から現在のデータ記録開始時刻までの間隔が予め定められた時間より短い場合であって両データの種類が異なる場合には、前記直前のデータの前のデータ記録終了時刻から現在のデータ記録開始時刻までの間隔が予め定められた時間より短い場合であって両データの種類が同じ場合に真になることを特徴とする請求項６記載のデータ処理装置。
【請求項１１】  上記判定条件は、予め定められた記録時間より短い場合に真になることを特徴とする請求項６記載のデータ処理装置。
【請求項１２】  上記判定条件は、予め定められた種類のデータである場合に真になることを特徴とする請求項６記載のデータ処理装置。
【請求項１３】  上記データ格納手段は、上記テイク生成条件を満たすデータについて、テイク格納ディレクトリに同じ種類のデータが格納されている場合はグループ化されたデータを一つのファイルに連結してディレクトリに格納することを特徴とする請求項１記載のデータ処理装置。
【請求項１４】  上記予め定められた種類のデータは、動画および音声であることを特徴とする請求項１３記載のデータ処理装置。
【請求項１５】  さらに、データファイルが音声または動画データである場合は上記テイク格納ディレクトリに再生制御用タイムテーブルを格納する再生制御用タイムテーブル格納手段を備えることを特徴とする請求項１記載のデータ処理装置。
【請求項１６】  上記再生制御用タイムテーブルは、データファイルを参照するためのファイル上における位置情報であり、予め定められた時間毎に設けられていることを特徴とする請求項１５記載のデータ処理装置。
【請求項１７】  さらに、上記テイク格納ディレクトリに付帯情報を格納するメタデータ格納手段を備えることを特徴とする請求項１記載のデータ処理装置。
【請求項１８】  上記メタデータ格納手段によって格納されるメタデータは、データファイルとは別のファイルに記録されることを特徴とする請求項１７記載のデータ処理装置。
【請求項１９】  さらに、上記テイク格納ディレクトリ毎に１つ以上の代表画像を形成する代表画像形成手段を備えることを特徴とする請求項１記載のデータ処理装置。
【請求項２０】  さらに、上記代表画像を形成するために用いたデータファイルの参照情報を保持する手段を備えることを特徴とする請求項１９記載のデータ処理装置。
【請求項２１】  上記参照情報は、代表画像内に設けられたデータエリアに保持されることを特徴とする請求項２０記載のデータ処理装置。
【請求項２２】  上記参照情報は、同じテイク格納ディレクトリに格納されている、代表画像を格納したデータファイルとは別のファイルに保持されることを特徴とする請求項２０記載のデータ処理装置。
【請求項２３】  少なくとも複数のデータファイルが記録される記録媒体に対して記録または再生が可能とされるデータ処理装置であって、
データ一覧表示の対象となるデータファイルのリストである一覧情報を作成する一覧情報作成手段と、
上記記録媒体にデータファイルを記録する際に予め定められたテイク生成条件を満たす１つ以上のデータファイルを自動的にグループ化するグループ設定手段と、
上記グループ設定手段により設定されたグループに含まれるデータファイルを一つの再生制御ファイルに格納する再生制御ファイル構成手段と、
上記グループに設定されなかったファイル、もしくは再生制御ファイルのみを上記一覧情報に登録するデータファイル登録手段と
を備えることを特徴とするデータ処理装置。
【請求項２４】  さらに、上記一覧情報に基づいたデータ一覧を表示するか、データファイル単位のデータ一覧を表示するかを切り替えるデータ提示方法指定手段と、
データファイル毎に対応して形成された代表画像を１画面上の表示領域に対して複数配列した代表画像画面を形成して出力することのできる画像処理手段と
を備えることを特徴とする請求項２３記載のデータ処理装置。
【請求項２５】  さらに、上記グループ設定手段によるグループ化の結果に基づいて、複数のデータファイルによって構成されるデータファイル群に対応する代表画像については複数のデータファイルで構成されることを表す所定の表示形態により表示可能とする第１の代表画像表示制御手段と
を備えることを特徴とする請求項２４記載のデータ処理装置。
【請求項２６】  さらに、予め定められた時間より長い記録時間のデータファイルを予め定められた時間長より短い時間に自動分割するデータファイル自動分割手段と、
上記データファイル自動分割手段によって分割されたデータファイルを自動的にグループ化する再グループ化手段と
を備えることを特徴とする請求項２４記載のデータ処理装置。
【請求項２７】  さらに、予め定められた時間より長い記録時間のデータファイルを予め定められた時間長より短い時間に自動分割するデータファイル自動分割手段と、
上記データファイル自動分割手段によって分割されたデータファイルを自動的にグループ化する再グループ化手段と、
上記再グループ化手段によるグループ化の結果に基づいて、複数のデータファイルによって構成されるデータファイル群に対応する代表画像については複数のデータファイルで構成されることを表す所定の表示形態により表示可能とする第２の代表画像表示制御手段と
を備えることを特徴とする請求項２５記載のデータ処理装置。
【請求項２８】  上記テイク生成条件は、予め定められた１つ以上の判定条件が全て真になることを特徴とする請求項２３記載のデータ処理装置。
【請求項２９】  上記判定条件は、予め定められた時間間隔より短い間隔でデータの記録開始指定が行われた場合に真になることを特徴とする請求項２８記載のデータ処理装置。
【請求項３０】  上記判定条件は、直前のデータ記録終了時刻から現在のデータ記録開始時刻までの間隔が予め定められた時間より短い場合に真になることを特徴とする請求項２８記載のデータ処理装置。
【請求項３１】  上記判定条件は、予め定められた記録時間より短い場合に真になることを特徴とする請求項２８記載のデータ処理装置。
【請求項３２】  上記判定条件は、予め定められた種類のデータである場合に真になることを特徴とする請求項２８記載のデータ処理装置。
【請求項３３】  上記予め定められた種類のデータは、動画および音声であることを特徴とする請求項３２記載のデータ処理装置。
【請求項３４】  上記再生制御ファイルとは、データ記述言語で記述されていることを特徴とする請求項２３記載のデータ処理装置。
【請求項３５】  上記データ記述言語は、HTMLであることを特徴とする請求項３４記載のデータ処理装置。
【請求項３６】  上記データ記述言語は、XMLであることを特徴とする請求項３４記載のデータ処理装置。
【請求項３７】  少なくとも複数のデータファイルが記録される記録媒体に対して記録または再生が可能とされるデータ処理装置であって、
上記記録媒体にデータファイルを記録する際、予め定められたテイク生成条件に従い自動的に１つ以上のデータファイルをグループ化するグループ設定手段と、
上記グループ設定手段により設定されたグループに含まれるデータファイルを一つのファイルに連結するファイル連結手段と
を備えることを特徴とするデータ処理装置。
【請求項３８】  上記テイク生成条件は、予め定められた１つ以上の判定条件が全て真になることを特徴とする請求項３７記載のデータ処理装置。
【請求項３９】  上記判定条件は、予め定められた時間間隔より短い間隔でデータの記録開始指定が行われた場合に真になることを特徴とする請求項３８記載のデータ処理装置。
【請求項４０】  上記判定条件は、直前のデータ記録終了時刻から現在のデータ記録開始時刻までの間隔が予め定められた時間より短い場合に真になることを特徴とする請求項３８記載のデータ処理装置。
【請求項４１】  上記判定条件は、予め定められた記録時間より短い場合に真になることを特徴とする請求項３８記載のデータ処理装置。
【請求項４２】  上記判定条件は、予め定められた種類のデータである場合に真になることを特徴とする請求項３８記載のデータ処理装置。
【請求項４３】  上記予め定められた種類のデータは、動画および音声で、なおかつ同じデータ形式であることを特徴とする請求項４２記載のデータ処理装置。
【請求項４４】  少なくとも複数のデータファイルが記録される記録媒体に対して記録または再生が可能とされるデータ処理方法であって、
上記記録媒体にデータファイルを記録する際に予め定められたテイク生成条件を満たす１つ以上のデータファイルを自動的にグループ化するグループ設定ステップを備えることを特徴とするデータ処理方法。
【請求項４５】  少なくとも複数のデータファイルが記録される記録媒体に対して記録または再生が可能とされるデータ処理プログラムであって、
上記記録媒体にデータファイルを記録する際に予め定められたテイク生成条件を満たす１つ以上のデータファイルを自動的にグループ化するグループ設定ステップをコンピュータに実行させるためのプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、マルチメディア・データを再生もしくは記録するデータ処理装置、方法及び記録媒体に関する。
【手続補正４】
【補正対象書類名】明細書
【補正対象項目名】００１２
【補正方法】変更
【補正の内容】
【００１２】
【課題を解決するための手段】
本発明のデータ処理装置は、少なくとも複数のデータファイルが記録される記録媒体に対して記録または再生が可能とされるデータ処理装置であって、上記記録媒体にデータファイルを記録する際に予め定められたテイク生成条件を満たす１つ以上のデータファイルを自動的にグループ化するグループ設定手段と、上記グループ設定手段により設定されたグループ毎に、上記記録媒体上にテイク格納ディレクトリを作成し、上記グループに応じた該テイク格納ディレクトリに対象となるデータファイルを格納するデータ格納手段と
を備えることを特徴とする。
また、本発明のデータ処理装置は、少なくとも複数のデータファイルが記録される記録媒体に対して記録または再生が可能とされるデータ処理装置であって、データ一覧表示の対象となるデータファイルのリストである一覧情報を作成する一覧情報作成手段と、上記記録媒体にデータファイルを記録する際に予め定められたテイク生成条件を満たす１つ以上のデータファイルを自動的にグループ化するグループ設定手段と、上記グループ設定手段により設定されたグループに含まれるデータファイルを一つの再生制御ファイルに格納する再生制御ファイル構成手段と、上記グループに設定されなかったファイル、もしくは再生制御ファイルのみを上記一覧情報に登録するデータファイル登録手段とを備えることを特徴とする。
また、本発明のデータ処理装置は、少なくとも複数のデータファイルが記録される記録媒体に対して記録または再生が可能とされるデータ処理装置であって、上記記録媒体にデータファイルを記録する際、予め定められたテイク生成条件に従い自動的に１つ以上のデータファイルをグループ化するグループ設定手段と、上記グループ設定手段により設定されたグループに含まれるデータファイルを一つのファイルに連結するファイル連結手段とを備えることを特徴とする。
また、本発明のデータ処理方法は、少なくとも複数のデータファイルが記録される記録媒体に対して記録または再生が可能とされるデータ処理方法であって、上記記録媒体にデータファイルを記録する際に予め定められたテイク生成条件を満たす１つ以上のデータファイルを自動的にグループ化するグループ設定ステップを備えることを特徴とする。
また、本発明の記録媒体は、少なくとも複数のデータファイルが記録される記録媒体に対して記録または再生が可能とされるデータ処理プログラムであって、上記記録媒体にデータファイルを記録する際に予め定められたテイク生成条件を満たす１つ以上のデータファイルを自動的にグループ化するグループ設定ステップをコンピュータに実行させるためのプログラムを記録したコンピュータ読み取り可能な記録媒体である。